(57)【要約】【課題】コンデンサレンズの心出し調整を行った後に生じうる照明性能の劣化を防止することができる照明ユニットおよび倒立顕微鏡を提供する。【解決手段】観察対象の試料の像を結像する顕微鏡の一部をなし、前記試料を載置するステージの上方に配置されて前記試料に透過照明光を照射する照明ユニットは、透過照明光を発生する光源を有する光源ユニットと、光源ユニットが出射した前記透過照明光を集光して前記試料へ照射するコンデンサレンズを有し、光源ユニットに連結されるコンデンサユニットと、を備える。【選択図】図２
2014002219.tif 000002
【特許請求の範囲】
【請求項１】
観察対象の試料の像を結像する顕微鏡の一部をなし、前記試料を載置するステージの上方に配置されて前記試料に透過照明光を照射する照明ユニットであって、
前記透過照明光を発生する光源を有する光源ユニットと、
前記光源ユニットが出射した前記透過照明光を集光して前記試料へ照射するコンデンサレンズを有し、前記光源ユニットに着脱可能に連結されるコンデンサユニットと、
を備えたことを特徴とする照明ユニット。
【請求項２】
前記コンデンサユニットは、
前記コンデンサレンズよりも前記光源ユニットとの連結位置の近くに配置される視野絞りを有することを特徴とする請求項１に記載の照明ユニット。
【請求項３】
前記光源ユニットは、
前記光源よりも前記コンデンサユニットとの連結位置の近くに配置される視野絞りを有することを特徴とする請求項１に記載の照明ユニット。
【請求項４】
前記光源ユニットと前記コンデンサユニットとの間に介在して前記光源ユニットおよび前記コンデンサユニットにそれぞれ着脱可能に連結され、視野絞りを有する視野絞りユニットをさらに備えたことを特徴とする請求項１に記載の照明ユニット。
【請求項５】
前記光源は、ＬＥＤであることを特徴とする請求項１〜４のいずれか一項に記載の照明ユニット。
【請求項６】
請求項１〜３のいずれか一項に記載の照明ユニットと、
前記照明ユニットを着脱可能に保持するとともに前記試料に対して上下に移動可能なユニットホルダと、
を備えたことを特徴とする倒立顕微鏡。
【請求項７】
前記ユニットホルダは、
前記光源ユニットを着脱可能に保持することを特徴とする請求項６に記載の倒立顕微鏡。
【請求項８】
前記ユニットホルダは、
前記コンデンサユニットを着脱可能に保持することを特徴とする請求項６に記載の倒立顕微鏡。
【請求項９】
請求項４に記載の照明ユニットと、
前記試料に対して上下に移動可能であり、前記視野絞りユニットを着脱可能に保持するユニットホルダと、
を備えたことを特徴とする倒立顕微鏡。
【発明の詳細な説明】
【技術分野】
【０００１】
本発明は、観察対象である試料の像を結像する顕微鏡に対して透過照明を行う照明ユニットおよび該照明ユニットを備えた倒立顕微鏡に関する。
【背景技術】
【０００２】
従来、ステージ上に載置した試料をステージの下側から観察する倒立顕微鏡として、透過照明用の光源をステージの上方に配置するとともに、光源とステージとの間の光源の光路上にコンデンサレンズを配置した構成を有するものが知られている（例えば、特許文献１を参照）。この倒立顕微鏡は、光源およびコンデンサレンズが固定されているため、様々な厚さの試料に対応させることが難しい上、システムの拡張性を高めることが困難であった。加えて、試料の交換やマニピュレータのセッティングを行う際にコンデンサレンズが障害となって作業効率が落ちてしまうという問題もあった。
【０００３】
このような問題を解決するための技術として、コンデンサレンズを着脱自在に保持するとともに、そのコンデンサレンズを透過照明光の光路から外れる方向に回動可能に保持するコンデンサホルダを備えた倒立顕微鏡も知られている（例えば、特許文献２を参照）。
【先行技術文献】
【特許文献】
【０００４】
【特許文献１】特開２００４−１０９９１９号公報
【特許文献２】特公平６−１７９３９号公報
【発明の概要】
【発明が解決しようとする課題】
【０００５】
しかしながら、上記特許文献２に記載の従来技術では、コンデンサレンズの心出し調整を行う際に、光源および視野絞りとは独立にコンデンサレンズを移動させるため、コンデンサレンズの心が光源および視野絞りの心からずれてしまい、照明性能が劣化してしまうおそれがあった。
【０００６】
本発明は、上記に鑑みてなされたものであって、コンデンサレンズの心出し調整を行った後に生じうる照明性能の劣化を防止することができる照明ユニットおよび倒立顕微鏡を提供することを目的とする。
【課題を解決するための手段】
【０００７】
上述した課題を解決し、目的を達成するために、本発明に係る照明ユニットは、観察対象の試料の像を結像する顕微鏡の一部をなし、前記試料を載置するステージの上方に配置されて前記試料に透過照明光を照射する照明ユニットであって、前記透過照明光を発生する光源を有する光源ユニットと、前記光源ユニットが出射した前記透過照明光を集光して前記試料へ照射するコンデンサレンズを有し、前記光源ユニットに着脱可能に連結されるコンデンサユニットと、を備えたことを特徴とする。
【０００８】
本発明に係る照明ユニットは、上記発明において、前記コンデンサユニットは、前記コンデンサレンズよりも前記光源ユニットとの連結位置の近くに配置される視野絞りを有することを特徴とする。
【０００９】
本発明に係る照明ユニットは、上記発明において、前記光源ユニットは、前記光源よりも前記コンデンサユニットとの連結位置の近くに配置される視野絞りを有することを特徴とする。
【００１０】
本発明に係る照明ユニットは、上記発明において、前記光源ユニットと前記コンデンサユニットとの間に介在して前記光源ユニットおよび前記コンデンサユニットにそれぞれ着脱可能に連結され、視野絞りを有する視野絞りユニットをさらに備えたことを特徴とする。
【００１１】
本発明に係る照明ユニットは、上記発明において、前記光源は、ＬＥＤであることを特徴とする。
【００１２】
本発明に係る倒立顕微鏡は、上記いずれかに記載の照明ユニットと、前記照明ユニットを着脱可能に保持するとともに前記試料に対して上下に移動可能なユニットホルダと、を備えたことを特徴とする。
【００１３】
本発明に係る倒立顕微鏡は、上記発明において、前記ユニットホルダは、前記光源ユニットを着脱可能に保持することを特徴とする。
【００１４】
本発明に係る倒立顕微鏡は、上記発明において、前記ユニットホルダは、前記コンデンサユニットを着脱可能に保持することを特徴とする。
【００１５】
本発明に係る倒立顕微鏡は、上記発明に記載の照明ユニットと、前記試料に対して上下に移動可能であり、前記視野絞りユニットを着脱可能に保持するユニットホルダと、を備えたことを特徴とする。
【発明の効果】
【００１６】
本発明によれば、透過照明光を発生する光源を有する光源ユニットと、光源ユニットが出射した透過照明光を集光して試料へ照射するコンデンサレンズを有し、光源ユニットに着脱可能に連結されるコンデンサユニットと、を備えているため、光源ユニットおよびコンデンサユニットを一体的に焦準および心出し調整可能である。したがって、コンデンサレンズの心出し調整を行った後に生じうる照明性能の劣化を防止することができる。
【図面の簡単な説明】
【００１７】
【図１】図１は、本発明の実施の形態１に係る倒立顕微鏡の全体構成を模式的に示す図である。
【図２】図２は、本発明の実施の形態１に係る照明ユニットの構成を模式的に示す図である。
【図３】図３は、本発明の実施の形態１に係る照明ユニットおよびユニットホルダの構成ならびに照明ユニットのユニットホルダへの組み付けの概要を示す図である。
【図４】図４は、本発明の実施の形態１に係る倒立顕微鏡が備えるユニットホルダの構成を示す上面図である。
【図５】図５は、本発明の実施の形態２に係る照明ユニットの構成および照明ユニットのユニットホルダへの組み付けの概要を示す図である。
【図６】図６は、本発明の実施の形態３に係る照明ユニットの構成および照明ユニットのユニットホルダへの組み付けの概要を示す図である。
【発明を実施するための形態】
【００１８】
以下、添付図面を参照して、本発明を実施するための形態（以下、「実施の形態」という）を説明する。なお、以下の説明で参照する図面は模式的なものであって、同じ物体を異なる図面で示す場合には、寸法や縮尺等が異なる場合もある。
【００１９】
（実施の形態１）
図１は、本発明の実施の形態１に係る倒立顕微鏡の全体構成を模式的に示す図である。同図に示す倒立顕微鏡１は、土台をなす本体部２と、本体部２の上面に取り付けられて試料Ｓｐを載置するステージ３と、本体部２の上方に位置し、ステージ３に載置された試料Ｓｐに対して透過照明を照射する透過照明部４と、を備える。試料Ｓｐは、ディッシュ、スライドガラスまたはビーカなどによって保持されている。
【００２０】
本体部２は、ステージ３および透過照明部４を支持する筐体部５と、筐体部５の側面のうち、倒立顕微鏡１のユーザと対向する側面である前面側（図１の左側面側）に設けられる鏡筒部６とを有する。
【００２１】
筐体部５は、対物レンズ７を交換可能に保持する保持台８と、保持台８を上下動させることによって対物レンズ７の焦点位置を試料Ｓｐに合わせる焦準操作を手動または電動で行う焦準操作部９と、試料Ｓｐを通過する光軸を有する対物レンズ７を介して入射してくる試料Ｓｐの観察光を結像する結像レンズ１０と、結像レンズ１０が結像した観察光を反射するミラー１１と、ミラー１１が反射した観察光をリレーするリレーレンズ１２と、を有する。
【００２２】
鏡筒部６は、リレーレンズ１２を通過した光の光路を変更するプリズム１３と、プリズム１３によって光路が変更された光を集光する接眼レンズ１４と、を有する。
【００２３】
次に、透過照明部４の構成を説明する。透過照明部４は、本体部２に取り付けられて上方へ延びる透過照明支柱１５と、透過照明光を発生して試料Ｓｐに結像する照明ユニット１６と、透過照明支柱１５に設けられ、照明ユニット１６を着脱可能に保持するユニットホルダ１７と、ユニットホルダ１７を上下に移動させる移動部１８と、移動部１８を操作する操作部１９と、を有する。移動部１８は、例えばラック＆ピニオンからなる。この場合のピニオンの軸は、操作部１９の回転軸と一致する。
【００２４】
図２は、照明ユニット１６の構成を示す図である。図３は、照明ユニット１６およびユニットホルダ１７の構成ならびに照明ユニット１６のユニットホルダ１７への組み付けの概要を示す図である。図４は、ユニットホルダ１７の構成を示す上面図である。なお、図３に示すユニットホルダ１７は、図４のＡ−Ａ線断面図に相当する。以下、図２〜図４を参照して、照明ユニット１６およびユニットホルダ１７の構成を説明する。
【００２５】
まず、照明ユニット１６の構成を説明する。照明ユニット１６は、透過照明光を発生して出射する光源ユニット２０と、光源ユニット２０と着脱可能に連結し、光源ユニット２０から出射された透過照明光を集光して試料Ｓｐに結像させるコンデンサユニット２１と、を有する。光源ユニット２０とコンデンサユニット２１は、図示しない固定用ビスによって固定されている。
【００２６】
光源ユニット２０の下端部には、図３に示すように、コンデンサユニット２１に嵌合される凸部２０１が形成されている。光源２２は、例えばＬＥＤ（Light  Emitting  Diode）である。
【００２７】
コンデンサユニット２１は、光源ユニット２０から出射された透過照明光の光量を調節可能な視野絞り２４と、視野絞り２４の径を変化させる視野絞り操作部２５と、視野絞り２４の下方に設けられ、複数の光学素子を切替可能に保持する光学素子ターレット２６と、光学素子ターレット２６を通過した透過照明光を集光し、試料Ｓｐを含む領域に対して均一に照射するコンデンサレンズ２７と、を有する。光学素子ターレット２６は、透過照明光の光路を通過する光学素子がコンデンサレンズ２７の瞳と共役な位置に来るように位置決めされている。
【００２８】
コンデンサユニット２１の上端部には、光源ユニット２０の凸部２０１を嵌合して保持する凹部２１１が形成されている。また、コンデンサユニット２１の視野絞り２４の下方の側面には、ユニットホルダ１７と嵌合可能な形状をなすオスアリ溝２１２が形成されている。
【００２９】
光源ユニット２０とコンデンサユニット２１は、凸部２０１と凹部２１１とを嵌合させ、光源ユニット２０とコンデンサユニット２１の所定の当て付け面同士を当接させることによって照明ユニット１６の光軸方向の位置決めがなされる。
【００３０】
次に、ユニットホルダ１７の構成を説明する。ユニットホルダ１７は、移動部１８に連結するホルダ本体部２８と、ホルダ本体部２８に固定され、Ｕ字状をなし、コンデンサユニット２１のオスアリ溝２１２と嵌合可能なメスアリ溝２９１がＵ字の内周部分に形成されたＵ字状部材２９と、ホルダ本体部２８に取り付けられてＵ字状部材２９を透過照明支柱１５から遠ざかる方向へ付勢する板ばね３０と、ホルダ本体部２８に螺合され、板ばね３０の付勢力に抗してＵ字状部材２９を押圧し、Ｕ字状部材２９のホルダ本体部２８に対する位置を調節して心出しを行うために設けられる一対の心出しビス３１と、ホルダ本体部２８に螺合され、Ｕ字状部材２９に嵌合されたユニットホルダ１７を固定するサイドセットビス３２と、を有する。
【００３１】
ホルダ本体部２８は、移動部１８と連結する基端部２８１と、基端部２８１の先端からＵ字状に広がってＵ字状部材２９を保持する保持部２８２とを有する。保持部２８２には、板ばね３０の両端をそれぞれ掛止するための棒状部材が設けられている（図示せず）。
【００３２】
板ばね３０は、Ｕ字状部材２９におけるＵ字の下端部の外周側に当接してＵ字状部材２９を付勢する。また、一対の心出しビス３１は、Ｕ字状部材２９におけるＵ字の上端部の外周側に当接するように保持部２８２に螺合される。このように、Ｕ字状部材２９は、板ばね３０と一対の心出しビス３１によって３箇所で支持されている。
【００３３】
以上の構成を有する照明ユニット１６を組み立てる際には、まずコンデンサユニット２１のオスアリ溝２１２をユニットホルダ１７のメスアリ溝２９１に嵌合させて装着し、サイドセットビス３２をホルダ本体部２８に螺合することによってコンデンサユニット２１をユニットホルダ１７に固定する。その後、コンデンサユニット２１の凹部２１１に光源ユニット２０の凸部２０１を嵌合させた後、固定用ビスを用いて光源ユニット２０をコンデンサユニット２１へ連結固定する。
【００３４】
次に、倒立顕微鏡１におけるコンデンサユニット２１の心出しについて説明する。まず、コンデンサユニット２１をユニットホルダ１７に取り付ける。その後、光学素子ターレット２６を回して光学素子が透過照明光の光路上にない状態にする。続いて、視野絞り操作部２５を操作して視野絞り２４の径を適度に小さくした後、操作部１９を回転操作してユニットホルダ１７を移動させる。ピントが視野絞り２４の位置に合うように照明ユニット１６の高さを調整した後、視野絞り操作部２５を操作し、視野絞り２４の像が視野に入る程度に絞り込み調整を行う。その後、心出しビス３１を操作して、視野絞り２４の像を視野の中心に移動する。そして、視野絞り２４を徐々に開いていき、その像が視野に外接する状態にする。
【００３５】
倒立顕微鏡１では、光源２２、視野絞り２４およびコンデンサレンズ２７が予め位置決めされて一体化されているため、光源ユニット２０およびコンデンサユニット２１を一括して心調整することができる。したがって、光源２２、視野絞り２４およびコンデンサレンズ２７の間で心ずれが起こらない。
【００３６】
以上説明した本発明の実施の形態１によれば、透過照明光を発生する光源を有する光源ユニットと、透過照明光の光量を調節可能な視野絞りおよび光源ユニットが出射した透過照明光を集光して試料へ照射するコンデンサレンズを有し、光源ユニットに着脱可能に連結されるコンデンサユニットと、を備えているため、予め位置決めされた光源ユニット、視野絞りおよびコンデンサの位置関係を動かすことなく、光源ユニット、視野絞りおよびコンデンサユニットを一体的に焦準および心出し調整可能である。したがって、コンデンサレンズの心出し調整を行った後に生じうる照明性能の劣化を防止することができる。
【００３７】
また、本実施の形態１によれば、コンデンサに備えられた視野絞り、開口絞り、レンズなどの光学系に適した光学設計の光源ユニットが複数ある場合には、光源ユニット毎に視野絞りを設ける必要がなく、倒立顕微鏡のシステムを安価に提供可能である。
【００３８】
また、本実施の形態１によれば、コンデンサユニットが視野絞りを有しているため、光源ユニットごとに視野絞りを用意する必要がない。
【００３９】
また、本実施の形態１によれば、光源がＬＥＤであるため、光源ユニットを小型化することが可能となる。
【００４０】
（実施の形態２）
図５は、本発明の実施の形態２に係る照明ユニットおよびユニットホルダの構成ならびに照明ユニットのユニットホルダへの組み付けの概要を示す図である。同図に示す照明ユニット４１は、光源ユニット４２と、コンデンサユニット４３とを備える。照明ユニット４１は、上述した倒立顕微鏡１が備えるユニットホルダ１７に着脱可能に取り付けられる。したがって、本実施の形態２に係る倒立顕微鏡は、倒立顕微鏡１における照明ユニット１６を照明ユニット４１に替えたものに他ならない。
【００４１】
光源ユニット４２は、光源２２と、コレクタレンズ２３と、視野絞り２４と、視野絞り操作部２５とを有する。光源ユニット４２の下端部には、コンデンサユニット４３に嵌合される凸部４２１が形成されている。また、凸部４２１の上方には、ユニットホルダ１７が有するＵ字状部材２９のメスアリ溝２９１と嵌合可能な形状をなすオスアリ溝４２２が形成されている。
【００４２】
コンデンサユニット４３は、光学素子ターレット２６と、コンデンサレンズ２７とを有する。コンデンサユニット４３の上端部には、光源ユニット４２の凸部４２１を嵌合して保持する凹部４３１が形成されている。
【００４３】
光源ユニット４２とコンデンサユニット４３は、凸部４２１と凹部４３１とを嵌合させ、光源ユニット４２とコンデンサユニット４３の所定の当て付け面同士を当接させることによって照明ユニット４１の光軸方向の位置決めがなされる。光源ユニット４２とコンデンサユニット４３は、位置決めされた後、図示しない固定用ビスによって互いに固定される。
【００４４】
以上の構成を有する照明ユニット４１を組み立てる際には、まず光源ユニット４２のオスアリ溝４２２をユニットホルダ１７のメスアリ溝２９１に嵌合させて装着し、サイドセットビス３２をホルダ本体部２８に螺合することによって光源ユニット４２をユニットホルダ１７に固定する。その後、コンデンサユニット４３の凹部４３１を光源ユニット４２の凸部４２１と嵌合させた後、固定用ビスを用いてコンデンサユニット４３を光源ユニット４２へ連結固定する。
【００４５】
以上説明した本発明の実施の形態２によれば、透過照明光を発生する光源および透過照明光の光量を調節可能な視野絞りを有する光源ユニットと、光源ユニットが出射した透過照明光を集光して試料へ照射するコンデンサレンズを有し、光源ユニットに着脱可能に連結されるコンデンサユニットと、を備えているため、予め位置決めされた光源ユニット、視野絞りおよびコンデンサの位置関係を動かすことなく、光源ユニット、視野絞りおよびコンデンサユニットを一体的に焦準および心出し調整可能である。したがって、コンデンサレンズの心出し調整を行った後に生じうる照明性能の劣化を防止することができる。
【００４６】
また、本実施の形態２によれば、光源ユニットが視野絞りを有しているため、コンデンサユニットごとに視野絞りを用意する必要がない。
【００４７】
また、本実施の形態２によれば、光源ユニットに適合するように光学設計されたコンデンサユニットが複数ある場合には、コンデンサユニットごとに視野絞りを設ける必要がない。この結果、倒立顕微鏡のシステムを安価に提供することが可能である。
【００４８】
（実施の形態３）
図６は、本発明の実施の形態３に係る照明ユニットおよびユニットホルダの構成ならびに照明ユニットのユニットホルダへの組み付けの概要を示す図である。同図に示す照明ユニット５１は、光源ユニット５２と、視野絞りユニット５３と、コンデンサユニット５４とを備える。照明ユニット５１は、上述した倒立顕微鏡１が備えるユニットホルダ１７に着脱可能に取り付けられる。したがって、本実施の形態３に係る倒立顕微鏡は、倒立顕微鏡１における照明ユニット１６を照明ユニット５１に替えたものに他ならない。
【００４９】
光源ユニット５２は、光源２２と、コレクタレンズ２３とを有する。光源ユニット５２の下端部には、視野絞りユニット５３に嵌合される凸部５２１が形成されている。
【００５０】
視野絞りユニット５３は、視野絞り２４と、視野絞り操作部２５とを有する。視野絞りユニット５３の上端部には、光源ユニット５２の凸部５２１を嵌合して保持する凹部５３１が形成されている。また、視野絞りユニット５３の下端部には、コンデンサユニット５４に嵌合される凸部５３２が形成されている。凸部５３２の上方には、ユニットホルダ１７が有するＵ字状部材２９のメスアリ溝２９１と嵌合可能な形状をなすオスアリ溝５３３が形成されている。
【００５１】
コンデンサユニット５４は、光学素子ターレット２６と、コンデンサレンズ２７とを有する。コンデンサユニット５４の上端部には、視野絞りユニット５３の凸部５３２を嵌合して保持する凹部５４１が形成されている。
【００５２】
光源ユニット５２と視野絞りユニット５３は、凸部５２１と凹部５３１とを嵌合させ、光源ユニット５２と視野絞りユニット５３の所定の当て付け面同士を当接させることによって照明ユニット５１の光軸方向の位置決めがなされる。同様に、視野絞りユニット５３とコンデンサユニット５４は、凸部５３２と凹部５４１とを嵌合させ、視野絞りユニット５３とコンデンサユニット５４の所定の当て付け面同士を当接させることによって照明ユニット５１の光軸方向の位置決めがなされる。光源ユニット５２と視野絞りユニット５３、および視野絞りユニット５３とコンデンサユニット５４は、位置決めされた後、図示しない固定用ビスによってそれぞれ固定される。
【００５３】
以上の構成を有する照明ユニット５１を組み立てる際には、まず視野絞りユニット５３のオスアリ溝５３３をＵ字状部材２９のメスアリ溝２９１に嵌合させて装着し、サイドセットビス３２をホルダ本体部２８に螺合することによって固定する。その後、視野絞りユニット５３の凹部５３１に光源ユニット５２の凸部５２１を嵌合させて装着し、固定用ビスを用いて光源ユニット５２を視野絞りユニット５３に連結固定する。また、視野絞りユニット５３の凸部５３２にコンデンサユニット５４の凹部５４１を嵌合させて装着し、固定用ビスを用いてコンデンサユニット５４を視野絞りユニット５３へ連結固定する。光源ユニット５２とコンデンサユニット５４の視野絞りユニット５３への連結順は任意である。
【００５４】
以上説明した本発明の実施の形態３によれば、透過照明光を発生する光源を有する光源ユニットと、光源ユニットが出射した透過照明光を集光して試料へ照射するコンデンサレンズを有するコンデンサユニットと、透過照明光の光量を調節可能な視野絞りを有し、光源ユニットおよびコンデンサユニットの間に位置し、両ユニットと着脱可能に連結される視野絞りユニットと、を備えているため、予め位置決めされた光源ユニット、視野絞りおよびコンデンサの位置関係を動かすことなく、光源ユニット、視野絞りおよびコンデンサユニットを一体的に焦準および心出し調整可能である。したがって、コンデンサレンズの心出し調整を行った後に生じうる照明性能の劣化を防止することができる。
【００５５】
また、本実施の形態３によれば、視野絞りが光源やコンデンサと独立したユニットに設けられているため、様々な種類の光源ユニットやコンデンサユニットと組み合わせて使用することができ、システムの拡張性を一段と向上させることができる。
【００５６】
ここまで、本発明を実施するための形態を説明してきたが、本発明は上述した実施の形態１〜３によってのみ限定されるべきものではない。
【００５７】
例えば、本発明において、光源、視野絞り、およびコンデンサレンズを一体化した照明ユニットを構成することも可能である。
また、本発明においてオスアリ溝の位置は絞りの上でも下でもよい。
また、本発明において、オスアリ溝をユニットホルダ側に形成し、メスアリ溝をユニット側に形成してもよい。
【００５８】
このように、本発明は、ここでは記載していない様々な実施の形態等を含みうるものであり、特許請求の範囲に記載した技術的思想を逸脱しない範囲内において、適宜設計変更等を行うことが可能である。
【符号の説明】
【００５９】
１  倒立顕微鏡
２  本体部
３  ステージ
４  透過照明部
５  筐体部
６  鏡筒部
７  対物レンズ
８  保持台
９  焦準操作部
１０  結像レンズ
１１  ミラー
１２  リレーレンズ
１３  プリズム
１４  接眼レンズ
１５  透過照明支柱
１６、４１、５１  照明ユニット
１７  ユニットホルダ
１８  移動部
１９  操作部
２０、４２、５２  光源ユニット
２１、５４  コンデンサユニット
２２  光源
２３  コレクタレンズ
２４  視野絞り
２５  視野絞り操作部
２６  光学素子ターレット
２７  コンデンサレンズ
２８  ホルダ本体部
２９  Ｕ字状部材
３０  板ばね
３１  心出しビス
３２  サイドセットビス
５３  視野絞りユニット
２０１、４２１、５２１、５３２  凸部
２１１、４３１、５３１、５４１  凹部
２１２、４２２、５３３  オスアリ溝
２８１  基端部
２８２  保持部
２９１  メスアリ溝
【図１】
2014002219.tif 000003
【図２】
2014002219.tif 000004
【図３】
2014002219.tif 000005
【図４】
2014002219.tif 000006
【図５】
2014002219.tif 000007
【図６】
2014002219.tif 000008